(57)【要約】【課題】  ストラップ部を離脱したウォーキングポールを準備運動における補助用具として効果的に利用できるようにして、ウォーキングポールの機能性及び多様性、更には使い勝手及び利便性をより高める。【解決手段】  ポール本体部２と、このポール本体部２の上端に設けたグリップ部３と、このグリップ部３に設けたストラップ部４と、ポール本体部２の下端に設けた緩衝石突部５とを備えてなるウォーキングポールを構成するに際して、グリップ部３及びストラップ部４に、ストラップ部４をグリップ部３に対して着脱可能にする着脱機構部６を設けるとともに、グリップ部３における上端部分３ｕの上面３ｕｆ及び側面３ｕｓを連続曲面Ｒｐに形成する。【選択図】  図１
2015051030.tif 000002
【特許請求の範囲】
【請求項１】
ポール本体部と、このポール本体部の上端に設けたグリップ部と、このグリップ部に設けたストラップ部と、前記ポール本体部の下端に設けた緩衝石突部とを備えてなるウォーキングポールにおいて、前記グリップ部及び前記ストラップ部に、前記ストラップ部を前記グリップ部に対して着脱可能にする着脱機構部を設けるとともに、前記グリップ部における上端部分の上面及び側面を連続曲面に形成してなることを特徴とするウォーキングポール。
【請求項２】
前記ポール本体部は、単一のポール材を用いた単一ポール体，又は径の異なる複数のポール材を組合わせた伸縮ポール体により構成することを特徴とする請求項１記載のウォーキングポール。
【請求項３】
前記着脱機構部は、前記グリップ部に対して前記ストラップ部を装着した際に装着状態をロックするロック機構部と、操作により前記ロック機構のロックを解除するロック解除操作部を備えることを特徴とする請求項１又は２記載のウォーキングポール。
【請求項４】
前記ロック解除操作部は、非操作時における上面が前記グリップ部の上端部分の上面に対して連続曲面の少なくとも一部となる押ボタンを備えることを特徴とする請求項１，２又は３記載のウォーキングポール。
【請求項５】
前記ストラップ部は、使用者の手から外れないように手首に固定する着脱可能な固定部を備えることを特徴とする請求項１〜４のいずれかに記載のウォーキングポール。
【発明の詳細な説明】
【技術分野】
【０００１】
本発明は、運動効果を高めることができるノルディックウォーキング等に使用するウォーキングポールに関する。
【背景技術】
【０００２】
一般に、健康維持を目的としたウォーキングは老若男女を問わず広く行われているが、近時、ポールを手で持ってウォーキングを行うノルディックウォーキングも普及している。ノルディックウォーキングは、クロスカントリーの選手が夏場のトレーニングとして取り入れていたものであるが、ポールを手で持ってウォーキングを行うため、運動強度を高め、肩甲骨の強化を図れるとともに、肩鎖関節の可動域の広がりにより、肩凝り防止，血行促進及び脳の活性化などにも効果があるなど、より効果的な腕振り運動を行うことができることから一般的にも行われるに至っており、このようなウォーキングに専用のウォーキングポールも知られている。
【０００３】
従来、この種の専用のウォーキングポールとしては、特許文献１に開示されるウォーキングポール及び特許文献２に開示されるウォーキング補助具が知られている。前者のウォーキングポールは、正しい歩行姿勢を保持し、手首に負担をかけることなく、従来と同様の運動効果を得ることのできるウォーキングポールの提供を目的としたものであり、具体的には、シャフトと、シャフトの上端部に装着されたグリップと、グリップの側方に設けられたストラップと、を備え、ストラップを、グリップの下部と上部との問に架け渡されるように取り付けて構成したものである。また、後者のウォーキング補助具は、ウォーキング中における腕振り運動に対して適度な負荷をかけることにより、運動強度及び肩甲骨強化を促進し、肩鎖関節の可動域の広がりにより肩凝り防止，血行促進及び脳の活性化をより有効化するとともに、ウォーキングに対するリズムのバランスや脳のコーディネーション能力の向上など、ウォーキングに対する最適化を図ることを目的としたものであり、具体的には、少なくとも、ポール部と、このポール部の上端部に設けたグリップ部と、このグリップ部に設けたストラップ部とを有するウォーキング補助具であって、パイプ状に形成したポール部の内部に所定の重量を有するオモリを収容して構成したものである。
【先行技術文献】
【特許文献】
【０００４】
【特許文献１】再表２００７−１１４１６７号公報
【特許文献２】実用新案登録第３１４９４２８号公報
【発明の概要】
【発明が解決しようとする課題】
【０００５】
しかし、上述した従来におけるウォーキングポールは、次のような解決すべき課題も存在した。
【０００６】
即ち、ノルディックウォーキングを行う人には年配者も多いため、使用するウォーキングポールには、スキーポール等の他の用途におけるポールとは異なる機能が要求される。例えば、ウォーキング中に、ウォーキングポールが手から離れることを防止するため、ストラップ部を手首等に固定するバックル等の固定部を有するタイプも少なくない（特許文献２参照）。一方、年配者がノルディックウォーキングを行う場合、急激な運動は負担が大きくなるとともに、骨折等を招く原因ともなるため、予め、準備運動を行う必要もあるが、ストラップ部が手に固定されたままでは十分な準備運動を行うことができないのみならず、安全性の観点からも望ましいものではない。
【０００７】
結局、この場合には、ストラップ部を手から外す必要があり、固定部をその都度着脱することは、年配者にとって煩わしい面倒な操作になるとともに、無用な時間もとられてしまう。このように、従来のウォーキングポールは、ノルディックウォーキングに対する専用のポールとして提供されるとしても、必ずしも十分な機能を満たしているとは言えず、使い勝手及び利便性を高める観点からは更なる改善の余地があった。
【０００８】
本発明は、このような背景技術に存在する課題を解決したウォーキングポールの提供を目的とするものである。
【課題を解決するための手段】
【０００９】
本発明に係るウォーキングポール１は、上述した課題を解決するため、ポール本体部２と、このポール本体部２の上端に設けたグリップ部３と、このグリップ部３に設けたストラップ部４と、ポール本体部２の下端に設けた緩衝石突部５とを備えてなるウォーキングポールを構成するに際して、グリップ部３及びストラップ部４に、ストラップ部４をグリップ部３に対して着脱可能にする着脱機構部６を設けるとともに、グリップ部３における上端部分３ｕの上面３ｕｆ及び側面３ｕｓを連続曲面Ｒｐに形成してなることを特徴とする。
【００１０】
この場合、発明の好適な態様により、ポール本体部２は、単一のポール材を用いた単一ポール体により構成してもよいし、或いは径の異なる複数のポール材２ｕ，２ｄを組合わせた伸縮ポール体により構成してもよい。また、着脱機構部６は、グリップ部３に対してストラップ部４を装着した際に装着状態をロックするロック機構部７と、操作によりロック機構部７のロックを解除するロック解除操作部８を用いて構成できる。この際、ロック解除操作部８には、非操作時における上面８ｕｆがグリップ部３の上端部分３ｕの上面３ｕｆに対して連続曲面Ｒｐの少なくとも一部となる押ボタン８ｐを用いることができる。さらに、ストラップ部４には、使用者の手Ｈｈから外れないように手首Ｈｈｎに固定する着脱可能な固定部９を設けることができる。
【発明の効果】
【００１１】
このような構成を有する本発明に係るウォーキングポール１によれば、次のような顕著な効果を奏する。
【００１２】
（１）  グリップ部３及びストラップ部４に、ストラップ部４をグリップ部３に対して着脱可能にする着脱機構部６を設けてなるため、例えば、使用する人が年配者であっても、ウォーキングポール１を使用しないときは、グリップ部３からストラップ部４を容易に離脱できるとともに、使用するときは、グリップ部３に対してストラップ部４を容易に装着できる。しかも、グリップ部３における上端部分３ｕの上面３ｕｆ及び側面３ｕｓは、連続曲面Ｒｐに形成してなるため、ストラップ部４を離脱したウォーキングポール１を準備運動等における補助用具として効果的に利用できるなど、ウォーキングポール１の機能性及び多様性、更には使い勝手及び利便性をより高めることができる。
【００１３】
（２）  好適な態様により、ポール本体部２は、単一のポール材を用いた単一ポール体により構成してもよいし、或いは径の異なる複数のポール材２ｕ，２ｄを組合わせた伸縮ポール体により構成してもよい。したがって、ポール本体部２は、各種態様（各種グレード）により実施できるなど、汎用性に優れる。
【００１４】
（３）  好適な態様により、着脱機構部６を、グリップ部３に対してストラップ部４を装着した際に装着状態をロックするロック機構部７と、操作によりロック機構部７のロックを解除するロック解除操作部８を用いて構成すれば、使用者は、グリップ部３に対してストラップ部４を任意に着脱することができる。なお、スキーポール等では安全性を確保する観点から一定の力が作用したときに自動で離脱するものも知られているが、ロック解除操作部８を設けることにより、使用者は任意に装着し、又はロック解除操作部８の操作により任意に離脱することができる。
【００１５】
（４）  好適な態様により、ロック解除操作部８に、非操作時における上面８ｕｆがグリップ部３の上端部分３ｕの上面３ｕｆに対して連続曲面Ｒｐとなる押ボタン８ｐを用いれば、当該上端部分３ｕには無用な突起部分が生じないため、ウォーキングポール１を準備運動に利用する際における補助用具としての利用性をより高めることができる。しかも、押ボタン８ｐはグリップ部３の上端部分３ｕの上面３ｕｆに配するため、ストラップ部４を使用者の手首に固定した状態でも親指等により容易に操作することができる。
【００１６】
（５）  好適な態様により、ストラップ部４に、使用者Ｈの手Ｈｈから外れないように手首Ｈｈｎに固定する着脱可能な固定部９を設ければ、ストラップ部４をグリップ部３に対して着脱可能にする着脱機能の相対的な価値、即ち、機能性，多様性，使い勝手及び利便性を高める観点からの存在価値をより高めることができる。
【図面の簡単な説明】
【００１７】
【図１】本発明の好適実施形態に係るウォーキングポールのストラップ部を離脱した状態を示す全体外観側面図、
【図２】同ウォーキングポールのストラップ部を離脱した状態におけるグリップ部の外観側面図、
【図３】同ウォーキングポールのストラップ部を離脱した状態におけるグリップ部の外観平面図、
【図４】同ウォーキングポールのストラップ部を離脱した状態におけるグリップ部の外観背面図、
【図５】同ウォーキングポールの使用状態を示す外観斜視図、
【図６】同ウォーキングポールのストラップ部を離脱した状態におけるグリップ部の側面断面図、
【図７】同ウォーキングポールのストラップ部を装着した状態におけるグリップ部の側面断面図、
【図８】同ウォーキングポールの機能説明図、
【図９】本発明の変更実施形態に係るウォーキングポールのストラップ部を離脱した状態を示す側面断面図、
【発明を実施するための形態】
【００１８】
次に、本発明に係る好適実施形態を挙げ、図面に基づき詳細に説明する。
【００１９】
まず、本実施形態に係るウォーキングポール１の構成について、図１〜図７を参照して説明する。
【００２０】
ウォーキングポール１は、図１に示すように、大別して、ポール本体部２と、このポール本体部２の上端に設けたグリップ部３と、このグリップ部３に設けるストラップ部４と、ポール本体部２の下端に設けた緩衝石突部５を備える。
【００２１】
ポール本体部２は、径の異なる複数のポール材、即ち、上側に位置し、かつ下端に伸縮設定部１１を設けた上ポール材２ｕと、下側に位置し、かつ当該ポール材２ｕよりも径が小さい下ポール材２ｄを組合わせた伸縮ポール体として構成する。いずれのポール材２ｕ，２ｄも、軽量金属素材により丸パイプ状に形成し、伸縮設定部１１（又は下ポール材２ｄ）を一方向に回し操作することによりロックを解除し、上ポール材２ｕに対して下ポール材２ｄを挿入して短縮し又は引出して伸長する伸縮調整を行うことができるとともに、伸縮設定部１１（又は下ポール材２ｄ）を他方向（反対方向）に回し操作することにより、調整した伸縮位置をロックすることができる。なお、例示のポール本体部２は、伸縮ポール体として構成したが、単一のポール材を用いた単一ポール体により構成してもよい。このように、ポール本体部２は、各種態様（各種グレード）により実施できるなど、汎用性に優れる。
【００２２】
グリップ部３は、図２〜図４及び図６に示すように、合成樹脂や合成ゴム等の軟質素材により形成したグリップ本体部１５を備える。このグリップ本体部１５の下端面には、軸方向に沿ったポール装着穴１５ｈを設け、このポール装着穴１５ｈにポール本体部２（上ポール材２ｕ）の上端部を挿入してポール本体部２とグリップ本体部１５を固定する。一方、グリップ部３の上端部分３ｕにおける上面３ｕｆ及び側面３ｕｓは連続曲面Ｒｐにより形成する。
【００２３】
また、グリップ部３の上部には、ストラップ部４をグリップ部３に対して着脱可能にする着脱機構部６を設ける。この着脱機構部６は、図６に示すように、グリップ部３に対してストラップ部４を装着した際に装着状態をロックするロック機構部７及び操作によりロック機構部７のロックを解除するロック解除操作部８を備える。ロック機構部７は、グリップ本体部１５側に設けたロック部７ｐとストラップ部４に設けた被ロック部材７ｒからなる。
【００２４】
ロック部７ｐは、ロック部材２１，規制ピン２２及びスプリング２３により構成する。ロック部材２１は、上側に位置する上体部２１ｕとこの上体部２１ｕの下端面から下方に延出したＬ形のロック片部２１ｄからなる。この場合、上体部２１ｕはロック解除操作部８となる押ボタン８ｐを兼ねている。ロック片部２１ｄにおける水平片部２１ｄｈの上面には、ノコギリ歯状の係止部２４を形成する。そして、ロック部材２１は、グリップ本体部１５の上端面から内部に形成した収容部１５ｓ（図７）に収容するとともに、グリップ本体部１５に固定した規制ピン２２を上体部２１ｕに貫通させることにより、ロック部材２１の変位を規制する。このため、ロック部材２１の上体部２１ｕには、規制ピン２２に対して所定範囲の上下変位が許容される長孔部２５が形成されている。
【００２５】
さらに、ロック部材２１とグリップ本体部１５間には、圧縮したスプリング２３を介在させ、ロック片部２１ｄを上方へ付勢する。この結果、非操作時におけるロック部材２１の上体部２１ｕ（押ボタン８ｐ）は、スプリング２３の弾性により上方位置に位置する。したがって、非操作時における押ボタン８ｐの上面８ｕｆは、グリップ部３の上端部分３ｕの上面３ｕｆにおけるグリップ本体部１５の部位に対して連続曲面Ｒｐとなるように形成する。押ボタン８ｐをこのように形成すれば、当該上端部分３ｕには無用な突起部分が生じないため、ウォーキングポール１を準備運動に利用する際における補助用具としての利用性をより高めることができる。しかも、押ボタン８ｐはグリップ部３の上端部分３ｕの上面３ｕｆに配するため、ストラップ部４を使用者の手首Ｈｈｎに固定した状態にあっても親指Ｈｈｐ（図５参照）等により容易に操作できる利点がある。
【００２６】
また、グリップ本体部１５の背面には、収容部１５ｓに対して連通する水平な装着孔２６を設ける。一方、ストラップ部４に設ける被ロック部材７ｒは、当該装着孔２６に対して挿入可能な形状に一体形成する。被ロック部材７ｒは、先端部７ｒｓ，中間部７ｒｍ及び後端部７ｒｂを有し、中間部７ｒｍの下面には、ノコギリ歯状の被係止部２７を形成する。この被係止部２７は上述した係止部２４に対して係止可能となる。先端部７ｒｓは所定の長さを確保し、装着孔２６に挿入する際の被ガイド部として機能するとともに、完全に挿入した際には装着時の安定性（剛性）を高める機能を有する。この場合、先端部７ｒｓの前端には凹部７ｒｃが形成されており、完全に挿入した際には、ロック部材２１のロック片部２１ｄが収容される。即ち、先端部７ｒｓはロック片部２１ｄに対して両側に逃げる形状を有している。後端部７ｒｂは取付部２８を有し、この後端部７ｒｂに、ストラップ部４の先端部４ｃを回動可能に取付ける。
【００２７】
このように、着脱機構部６を、グリップ部３に対してストラップ部４を装着した際に装着状態をロックするロック機構部７と、操作によりロック機構部７のロックを解除するロック解除操作部８を用いて構成すれば、使用者は、グリップ部３に対してストラップ部４を任意に着脱することができる。なお、スキーポール等では安全性を確保する観点から一定の力が作用したときに自動で離脱するものも知られているが、ロック解除操作部８を設けることにより、使用者は任意に装着し、又はロック解除操作部８の操作により任意に離脱できる利点がある。
【００２８】
他方、ストラップ部４は、図５及び図７に示すように、使用者の親指Ｈｈｐが挿通する第一開口部３１と、親指Ｈｈｐ以外の手の部分Ｈｈｅが挿通する第二開口部３２を有する。なお、例示のストラップ部４は右手用となる。また、ストラップ部４の後部には、使用者の手Ｈｈから外れないように手首Ｈｈｎに固定する着脱可能な固定部９を設ける。例示の固定部９はバックル金具９ｓを用いたものである。したがって、使用する際には、バックル金具９ｓにバンド部９ｂを掛け、固定部９を適度に窄めた後、バンド部９ｂに設けた面ファスナ部９ｃを用いて固定できる。このような固定部９を設ければ、ストラップ部４をグリップ部３に対して着脱可能にする着脱機能の相対的な価値、即ち、機能性，多様性，使い勝手及び利便性を高める観点からの存在価値をより高めることができる。
【００２９】
次に、本実施形態に係るウォーキングポール１の使用方法及び機能について、図１〜図８を参照して説明する。
【００３０】
まず、非使用時、即ち、保管又は携帯する際には、ウォーキングポール１を最短長さに短縮することができる。この場合、伸縮設定部１１（又は下ポール材２ｄ）を一方向に回し操作すれば、上ポール材２ｕに対する下ポール材２ｄの位置のロックを解除できるため、上ポール材２ｕに下ポール材２ｄを押込むことにより最短長さにできるとともに、伸縮設定部１１（又は下ポール材２ｄ）を他方向（反対方向）に回し操作することにより最短長さをロックできる。
【００３１】
一方、使用する際には、ウォーキングポール１を伸長させることによりウォーキングポール１の全体長さを最適長さにセットできる。この場合、上述したように、伸縮設定部１１（又は下ポール材２ｄ）を一方向に回し操作することにより、上ポール材２ｕに対する下ポール材２ｄの位置のロックを解除する。そして、上ポール材２ｕから下ポール材２ｄを最適長さとなる位置まで引出し、伸縮設定部１１（又は下ポール材２ｄ）を他方向（反対方向）に回し操作することにより、上ポール材２ｕに対する下ポール材２ｄの位置をロックする。なお、図示を省略したが、下ポール材２ｄには目盛りを付してあり、上ポール材２ｕに対する下ポール材２ｄの相対的な位置（長さ）を目視により容易かつ的確に確認できる。
【００３２】
また、ストラップ部４を使用者の手Ｈｈに装着して固定する。この場合、面ファスナ部９ｃによるバンド部９ｂの固定を解除し、固定部９を広げた状態にする（図１参照）。そして、使用者の手Ｈｈを広げた固定部９に挿入し、親指Ｈｈｐを第一開口部３１に挿通させるとともに、親指Ｈｈｐ以外の手の部分Ｈｈｅを第二開口部３２に挿通させる。手Ｈｈを完全に挿通させれば、固定部９は使用者の手首Ｈｈｎに位置するため、バックル金具９ｓからバンド部９ｂを引出し、固定部９を適度に窄めるとともに、この後、バックル金具９ｓから折返し、面ファスナ部９ｃにより固定する。これにより、図５に示すように、ストラップ部４を使用者の手Ｈｈに装着できる。これにより、使用者は手Ｈｈでグリップ部３を握り、使用することができる。
【００３３】
ところで、年配者の場合、急激な運動は負担が大きくなるとともに、骨折等を招く原因ともなるため、十分な準備体操が必要となる。この場合、ストラップ部４は使用者の手Ｈｈに装着（固定）されているため、この状態で準備体操をすれば、ウォーキングポール１が邪魔になり、十分な準備体操ができないのみならず、ウォーキングポール１を振り回すことにもなりかねず、安全面からも望ましくない。
【００３４】
したがって、この場合、使用者は親指Ｈｈｐで押ボタン８ｐを押込むことにより、ストラップ部４をグリップ部３から離脱する。即ち、図８に示すように、押ボタン８ｐを矢印Ｆｄ方向に押込むことにより、ロック部材２１をスプリング２３の弾性に抗して下降させ、係止部２４を被係止部２７から離間させることにより、係止を解除できるため、ストラップ部４を矢印Ｆｐ方向へ引抜くけばよい。このように、年配者であっても、ワンタッチ方式によりグリップ部３からストラップ部４を容易に離脱させることができる。
【００３５】
これにより、ストラップ部４は手Ｈｈに装着された状態は維持されるも、ストラップ部４を除いたウォーキングポール１は手Ｈｈから離れるため、安全性が損なわれることなく十分な準備運動を行うことができる。特に、ストラップ部４を除いたウォーキングポール１は、年配者に対応した好適な準備運動の補助用具として利用できる。即ち、図１に示すように、ウォーキングポール１におけるグリップ部３の上端部３ｕに手の平Ｈｈｈを載せた状態で水平円を描くように容易かつ無理なく回すことができ、的確な準備運動を行うことができる。
【００３６】
このように、本実施形態に係るウォーキングポール１は、ストラップ部４及びグリップ部３に、ストラップ部４をグリップ部３に対して着脱可能にする着脱機構部６を設けてなるため、例えば、使用する人が年配者であっても、ウォーキングポール１を使用しないときは、グリップ部３からストラップ部４を容易に離脱できるとともに、使用するときは、グリップ部３に対してストラップ部４を容易に装着できる。しかも、グリップ部３における上端部分３ｕの上面３ｕｆ及び側面３ｕｓは、連続曲面Ｒｐに形成してなるため、ストラップ部４を離脱したウォーキングポール１を準備運動における補助用具として効果的に利用できるなど、ウォーキングポール１の機能性及び多様性、更には使い勝手及び利便性をより高めることができる。
【００３７】
次に、本発明の変更実施形態に係るウォーキングポール１について、図９を参照して説明する。
【００３８】
本発明に係るウォーキングポール１は、基本的に、ストラップ部４をグリップ部３に対して着脱可能にする着脱機構部６を設けることに加え、グリップ部３における上端部分３ｕの上面３ｕｆ及び側面３ｕｓを連続曲面Ｒｐに形成し、上述したように、準備運動における補助用具として利用できる。即ち、グリップ本体部１５の上面に押ボタン８ｐを備えるも、全体として連続曲面Ｒｐとして形成することにより、年配者のための準備運動用補助用具として好適となる。
【００３９】
したがって、この基本形態を損なうことなく、様々な形状的な変更が可能であり、図９に示す変更実施形態はグリップ部３における上端部３ｕの形状を完全な半球形としたものである。このような形態であっても同様に実施できるとともに、準備運動等の補助用具として他の補助的な活用も可能となる。
【００４０】
以上、好適実施形態（変更実施形態）について詳細に説明したが、本発明は、このような実施形態に限定されるものではなく、細部の構成，形状，素材，数量，数値等において、本発明の要旨を逸脱しない範囲で、任意に変更，追加，削除することができる。
【００４１】
例えば、着脱機構部６は、グリップ部３に対してストラップ部４を装着した際に装着状態をロックするロック機構部７と、操作によりロック機構部７のロックを解除するロック解除操作部８を用いて構成する場合を示したが、その他、無理な力が作用したときに自動的にロックが解除されて離脱するなど、他の機能が付加されていてもよい。また、ロック解除操作部８には、非操作時の上面８ｕｆがグリップ部３の上端部分３ｕの上面３ｕｆに対して連続曲面Ｒｐとなる押ボタン８ｐを用いた場合を示したが、押ボタン８ｐの形状や配設位置は例示に限定されるものではない。さらに、ストラップ部４には、使用者の手Ｈｈから外れないように手首Ｈｈｎに固定する着脱可能な固定部９を設けた場合を示したが、必ずしも設けることを要しない。一方、ポール本体部２は、上ポール材２ｕと下ポール材２ｄの二本のポール材を組合わせた例を示したが、三本以上のポール材２ｕ…を組合わせてもよい。
【産業上の利用可能性】
【００４２】
本発明に係るウォーキングポールは、ノルディックウォーキングをはじめ、各種用途におけるウォーキングポールとして利用できる。
【符号の説明】
【００４３】
１：ウォーキングポール，２：ポール本体部，２ｕ：ポール材（上ポール材），２ｄ：ポール材（下ポール材），３：グリップ部，３ｕ：グリップ部の上端部分，３ｕｆ：グリップ部における上端部分の上面，３ｕｓ：グリップ部における上端部分の側面，４：ストラップ部，５：緩衝石突部，６：着脱機構部，７：ロック機構部，８：ロック解除操作部，８ｐ：押ボタン，８ｕｆ：ロック解除操作部の上面，９：固定部，Ｒｐ：連続曲面，Ｈｈ：使用者の手，Ｈｈｎ：手首
【図１】
2015051030.tif 000003
【図２】
2015051030.tif 000004
【図３】
2015051030.tif 000005
【図４】
2015051030.tif 000006
【図５】
2015051030.tif 000007
【図６】
2015051030.tif 000008
【図７】
2015051030.tif 000009
【図８】
2015051030.tif 000010
【図９】
2015051030.tif 000011